(57)【特許請求の範囲】
【請求項１】
観測窓に到来する紫外線を検出する紫外線センサ、および
前記紫外線センサの周囲空間を密閉すると共に、前記紫外線センサへ紫外線を透過させる窓材を設けた前記観測窓を持つチャンバ
を有する紫外線センサユニットと、
前記紫外線センサユニットを保持すると共に、
空気流を発生する送風機、
前記送風機から噴出される空気流を案内して前記窓材の外側表面に前記空気流を吹き付けるエアーダクト、および
前記観測窓の上部に設けた開口部
を有するセンサハウジングと、
前記開口部および前記観測窓を遮蔽または開放状態にし、前記遮蔽状態にあるときに前記観測窓と対面する位置に、紫外線透過性を持つカバー窓材を設けたセンサカバーと
を具備することを特徴とする紫外線センサ装置。
【請求項２】
前記紫外線センサから出力される紫外線量をモニタし、その出力レベルと規定値とを比較、判定する弁別回路と、
前記センサカバーを開または閉状態に制御するセンサカバー開閉回路と、
前記送風機のオンオフを制御する送風機駆動回路と、
前記紫外線センサから出力される紫外線量のデータを送出すると共に、前記弁別回路により晴天でないと判断されたとき、前記センサカバー開閉回路に対して閉信号を出力する制御部と
を具備することを特徴とする請求項１記載の紫外線センサ装置。
【請求項３】
前記紫外線センサから出力される紫外線量をモニタし、その出力レベルと規定値とを比較、判定する弁別回路と、
前記紫外線センサユニットの周囲の気圧を検出する気圧センサと、
前記気圧センサから出力される大気圧をモニタし、その出力レベルとその変化より降雨または降雪状態になるかを判定する判定回路と、
前記センサカバーを開または閉状態に制御するセンサカバー開閉回路と、
前記送風機のオンオフを制御する送風機駆動回路と、
前記紫外線センサから出力される紫外線量のデータを送出すると共に、前記弁別回路、前記判定回路の少なくとも一方により晴天でないと判断されたとき、前記センサカバー開閉回路に対して閉信号を出力する制御部と
を具備することを特徴とする請求項１記載の紫外線センサ装置。
【請求項４】
前記制御部は、前記センサカバー開閉回路に対して開信号を出力しているとき、前記紫外線センサから出力される信号を計測値として送信し、
前記センサカバー開閉回路に対して閉信号を出力しているとき、前記紫外線センサから出力される信号を参考値として処理することを特徴とする請求項２または３記載の紫外線センサ装置。
【発明の詳細な説明】
【０００１】
【発明の属する技術分野】
本発明は、地上に放射される紫外線量を観測する全天候型の紫外線センサ装置に関する。
【０００２】
【従来の技術】
地上に放射される紫外線量は、地球環境であるオゾン層の厚みによって大きく影響を受ける。紫外線は他の光線と共に太陽から大量に放射されるが、地球にはオゾン層を含む大気圏または成層圏が存在するので、地上に降り注ぐ紫外線はこれらの空気層によって低減される。大量の紫外線は地上の生物に有害な影響を与え、人体の皮膚にも悪影響を与える。これまでの空調機器の冷媒として用いられて来たフロンは、このオゾン層を破壊するものであることが解明され、その使用が規制されている。
【０００３】
このような宇宙から放射される紫外線や他の放射線は、地上の観測装置でモニタできる。地上に放射される紫外線量は、太陽高度や天候に大きく左右され、同じ季節であっても、オゾン層の状態等によって異なる。
【０００４】
【発明が解決しようとする課題】
紫外線の観測は、紫外線センサを用いて行うが、この紫外線センサは建物の屋根や屋上に設置されたり、野外に設置されたりする。紫外線センサ自体は、密閉された容器に信号増幅器と共に固定され、紫外線透過ガラスを通して上空から放射される紫外線を捕捉するようになっている。紫外線センサを野外に設置すると、天候の変化により、結露したり、風雨に晒されたり、粉塵や落ち葉により、遮蔽窓である紫外線透過ガラスが汚れてしまう。この場合、透過線量が本来値より大幅に低減し、正確な観測データが得られなくなる。
【０００５】
紫外線センサは、前述のようにメンテナンスに適していない場所に設置されることが多く、その場所にわざわざ行くのは大変煩わしいため、人手によりこれらの紫外線透過ガラスを清掃するには、経費と時間がかかることとなる。
【０００６】
本発明は、このような従来の問題点に鑑みてなされたもので、その目的は、紫外線センサの結露と塵挨の付着を防止することができるようにし、紫外線量を正確に計測できるようにした全天候型の紫外線センサ装置を実現することにある。
【０００７】
また、本発明の他の目的は、紫外線センサを覆うセンサカバーを設け、降雨や曇量などの状態変化に対応して該カバーを開閉できるようにし、紫外線量を正確に計測できるようにした全天候型の紫外線センサ装置を実現することにある。
【０００８】
【課題を解決するための手段】
上記課題を解決するために、本発明の紫外線センサ装置は、観測窓に到来する紫外線を検出する紫外線センサ、および前記紫外線センサの周囲空間を密閉すると共に、前記紫外線センサへ紫外線を透過させる窓材を設けた前記観測窓を持つチャンバを有する紫外線センサユニットと、前記紫外線センサユニットを保持すると共に、空気流を発生する送風機、前記送風機から噴出される空気流を案内して前記窓材の外側表面に前記空気流を吹き付けるエアーダクト、および前記観測窓の上部に設けた開口部を有するセンサハウジングと、前記開口部および前記観測窓を遮蔽または開放状態にし、前記遮蔽状態にあるときに前記観測窓と対面する位置に、紫外線透過性を持つカバー窓材を設けたセンサカバーとを具備することを特徴とする。これによって、紫外線センサユニットの窓材の外側表面の結露を防止し、塵挨の付着を防止する。また、降雨が予想されるときは、事前にセンサカバーを閉状態にすることができる。このため、正規の観測状態で上空から放射される紫外線の量を正確に測定できる。
【００１０】
また、本発明の紫外線センサ装置は、前記紫外線センサから出力される紫外線量をモニタし、その出力レベルと規定値とを比較、判定する弁別回路と、前記センサカバーを開または閉状態に制御するセンサカバー開閉回路と、前記送風機のオンオフを制御する送風機駆動回路と、前記紫外線センサから出力される紫外線量のデータを送出すると共に、前記弁別回路により晴天でないと判断されたとき、前記センサカバー開閉回路に対して閉信号を出力する制御部とを具備することを特徴とする。これによって、晴天でないと判断されたときは、事前にセンサカバーを閉状態にすることができ、紫外線センサユニットの窓材の外側表面の結露を防止し、塵挨の付着を防止できる。
【００１１】
また、本発明の紫外線センサ装置は、前記紫外線センサから出力される紫外線量をモニタし、その出力レベルと規定値とを比較、判定する弁別回路と、前記紫外線センサユニットの周囲の気圧を検出する気圧センサと、前記気圧センサから出力される大気圧をモニタし、その出力レベルとその変化より降雨または降雪状態になるかを判定する判定回路と、前記センサカバーを開または閉状態に制御するセンサカバー開閉回路と、前記送風機のオンオフを制御する送風機駆動回路と、前記紫外線センサから出力される紫外線量のデータを送出すると共に、前記弁別回路、前記判定回路の少なくとも一方により晴天でないと判断されたとき、前記センサカバー開閉回路に対して閉信号を出力する制御部とを具備することを特徴とする。これによって、降雨が予想されるときは、事前にセンサカバーを閉状態にすることができ、紫外線センサユニットの窓材の外側表面の結露を防止し、塵挨の付着を防止できる。
【００１２】
また、本発明の紫外線センサ装置は、前記制御部は、前記センサカバー開閉回路に対して開信号を出力しているとき、前記紫外線センサから出力される信号を計測値として送信し、前記センサカバー開閉回路に対して閉信号を出力しているとき、前記紫外線センサから出力される信号を参考値として処理することを特徴とする。これによって、センサカバーを開放しているときの紫外線センサ装置から出力される信号は、正規の状態での観測値とすることができる。
【００１３】
【発明の実施の形態】
以下、本発明の実施の形態における紫外線センサ装置について、図面を参照しつつ説明する。なお、以下で説明する図面で、同一機能を有するものは同一符号を付け、その繰り返しの説明は省略する。
【００１４】
図１は本実施の形態の紫外線センサ装置の機構部の構造を示す要部断面側面図、図２はこの紫外線センサ装置の全体側面図、図３はこの紫外線センサ装置の上面図である。
【００１５】
図１に示すように、この紫外線センサ装置は、紫外線センサユニット１０と、センサハウジング２０と、センサカバー３０とを含んで構成される。
【００１６】
紫外線センサユニット１０は、紫外線センサ１１、チャンバ１２、乾燥剤１３、観測窓１５、窓材１４、および図示しない信号増幅回路を含み、紫外線量を検出してその信号を出力するものである。円筒状のチャンバ１２内の上方には紫外線センサ１１が取り付けられ、チャンバ１２内の下方には乾燥剤１３が交換可能なように取り付けられている。また、チャンバ１２の上部の観測窓１５には紫外線透過性に優れた例えばガラスからなる窓材１４が取り付けられ、チャンバ１２内が密閉されている。
【００１７】
センサハウジング２０は、外部ケース２１、送風機である例えばファン付きモータ２２、フィルタユニット２３、エアーダクト２４、開口部２５を含み、天候の変化を主とする環境変化から紫外線センサユニット１０を保護するものである。外部ケース２１は、紫外線センサユニット１０をその中心部分に内蔵し、下部にファン付きモータ２２およびフィルタユニット２３を保持する円筒状の容器である。紫外線センサユニット１０の外径と外部ケース２１の内径差によって形成された空間は、ファン付きモータ２２で発生した空気を窓材１４および開口部２５に案内するエアーダクト２４となっている。
【００１８】
センサカバー３０は、カバー窓材３１、カバー３２、開閉モータ３３を有し、駆動ステー（駆動機構を備えたステー）４０によって開閉自在に保持されたものである。カバー３２は例えば板金で箱型に形成され、駆動ステー４０に設けられた回転軸３４を中心として開閉自在の部材である。カバー窓材３１は、カバー３２の閉位置で窓材１４と同一軸上に位置するよう取り付けられ、紫外線透過性を有する例えばガラスで構成される。カバー窓材３１はセンサカバー３０の閉時の観測窓の機能を有している。開閉モータ３３は減速ギアを介してカバー３２を開閉させるマイクロモータである。３０Ａはセンサカバー３０の閉位置を示し、３０Ｂはセンサカバー３０の開位置を示す（図２、図３参照）。
【００１９】
次に、この紫外線センサ装置の詳細構造と、センサカバー３０の開閉状態について図２および図３を用いて説明する。駆動ステー４０はセンサカバー３０を開閉自在に保持すると共に、紫外線センサユニット１０の信号コネクタ２６とケーブル２７とを収納するものである。図２に示すように、駆動ステー４０と、紫外線センサユニット１０を内部に収納するセンサハウジング２０とは、駆動ユニットベース５１を介して傾斜台座５０に固定される。この傾斜台座５０は例えば固定クランプ５３を用いて建物の一部または支柱に取り付けられる。図２は屋根５４に取り付けた例である。
【００２０】
駆動ステー４０には、２個の開閉リミットスイッチ４１ａ、４１ｂが取り付けられ、センサカバー３０の閉位置と開位置でそれぞれ開閉リミットスイッチ４１ａ、４１ｂから信号が出力され、開閉モータ３３のオンオフ制御が行なわれる。センサハウジング２０の側面には信号コネクタ２６が取り付けられ、傾斜台座５０に取り付けられた中継コネクタ５２とケーブル２７を介して接続される。図２および図３において、実線で示すセンサカバー３０は閉位置３０Ａにある状態を表し、２点鎖線で示すセンサカバー３０は開位置３０Ｂにある状態を表す。
【００２１】
次に、この紫外線センサ装置の駆動回路部について説明する。図４はこの紫外線センサ装置の駆動回路部６０の構成を示すブロック図である。この駆動回路部６０は、後で詳述するように、紫外線センサ１１の信号を処理する紫外線信号ブロック８１と、気圧センサ６１の信号を処理する天候信号ブロック８２と、開閉リミットスイッチ４１ａ、４１ｂの信号を用いてセンサカバー３０を開閉する開閉制御ブロック８３とに分割されている。いずれのブロックも制御部であるマイクロコンピュータ６２により信号が処理され、制御信号が出力される。
【００２２】
紫外線信号ブロック８１は、紫外線センサ１１、信号増幅回路６３、Ａ／Ｄ（アナログ／デジタル）変換器６４、閾値設定回路６５、弁別回路６６を有している。信号増幅回路６３は、紫外線センサ１１から出力される紫外線量に応ずる信号を増幅し、Ａ／Ｄ変換器６４と弁別回路６６とに与える。弁別回路６６は、閾値設定回路６５で設定された閾値と、信号増幅回路６３の出力レベルとを比較する回路である。弁別回路６６は、信号増幅回路６３の出力レベルが閾値以上の（あるいは閾値を超えた）ときにＨレベルの信号を出力し、閾値未満（あるいは閾値以下）のときにＬレベルの信号を出力する。この比較結果はマイクロコンピュータ６２に与えられる。
【００２３】
天候信号ブロック８２は、気圧センサ６１、信号増幅回路６７、Ａ／Ｄ変換器６８、判定回路６９を有し、気圧センサ６１で検出される大気圧をモニタし、その出力レベルとその変化から降雨または降雪状態になるかを予測する回路である。信号増幅回路６７は気圧センサ６１の気圧信号を増幅し、Ａ／Ｄ変換器６８に与える。判定回路６９はＡ／Ｄ変換器６８から出力される気圧データの大小、その時間変化率から、天候の変化を予測する。気圧が低ければ曇天または雨と判断し、気圧が所定時間内に低下すれば降雨が生じると予測する。このように悪天侯と判断されたり、悪天侯が予測される場合はＬレベルの信号が出力され、そうでなければＨレベルの信号が出力され、これらの判定結果はマイクロコンピュータ６２に与えられる。
【００２４】
開閉制御ブロック８３は、リミットスイッチ４１ａ、４１ｂ、開閉モータ３３、ファン付きモータ２２、モータドライバ７０、モータドライバ７１、Ｉ／Ｆ回路（電流・周波数回路）７２を有し、センサカバー３０の開閉動作とファン付きモータ２２のオンオフ動作とを制御する回路である。モータドライバ７０は、Ｉ／Ｆ回路７２を介して出力されるリミットスイッチ４１ａの開位置信号と、リミットスイッチ４１ｂの閉位置信号に基づき、開閉モータ３３を正逆両方向にオンオフ制御するセンサカバー駆動回路である。モータドライバ７１はＩ／Ｆ回路７２の出力制御信号によりファン付きモータ２２をオンオフ制御するファン付きモータ駆動回路である。
【００２５】
マイクロコンピュータ６２は、制御プログラムを格納したメモリを有し、弁別回路６６の出力および判定回路６９の出力のうち、双方がＨレベルのとき、晴天と判断する。そして、マイクロコンピュータ６２は、Ｉ／Ｆ回路７２の出力信号からセンサカバー３０が閉状態と判断すると、Ｉ／Ｆ回路７２を介してモータドライバ７０に開信号（センサカバー３０を開くことを指令する信号）を出力してセンサカバー３０を開状態にする。また、マイクロコンピュータ６２は、Ｉ／Ｆ回路７２を介してモータドライバ７１にオン信号（ファン付きモータ２２のオンを指令する信号）を出力し、ファン付きモータ２２を回転させる。このときに、マイクロコンピュータ６２は、Ａ／Ｄ変換器６４から出力される紫外線量のデータを通信部７３を介して外部に出力し、紫外線量のデータが観測者に届くようにする。
【００２６】
以上のように構成された駆動回路部６０を含むこの紫外線センサ装置の動作例（運用例）について説明する。前述したように、地上に放射される紫外線量は、太陽高度（季節と時刻）や天候、オゾン層の状態に大きく左右される。図５は、観測地点の周辺に建物が存在する場所であって、「晴れ時々曇り」の日に実際に観測した紫外線量の一日の具体的な変化を示すグラフである。この日の気圧は比較的高く、気圧センサ６１で検知される大気圧が高く、判定回路６９からＨレベルが出力されているとする。観測対象時間帯でない早朝は、図１〜図３に示す紫外線センサユニット１０が結露している場合が多いので、マイクロコンピュータ６２に内蔵したカレンダ（タイマー）により、センサカバー３０が閉状態に制御されている。また、チャンバ１２の内部には、乾燥剤１３が挿入されているので、水蒸気量は少なく、大気温度が低くても、窓材１４の内面は結露しない。
【００２７】
やがてタイマーの動作により、観測対象時間帯に入ったとする。当初は、センサカバー３０のカバー窓材３１を通して、現在の紫外線量は紫外線センサ１１によって観測される。マイクロコンピュータ６２は、弁別回路６６から出力される信号がＬレベルであれば、紫外線量が規定値（閾値）未満（あるいは以下）であると判断する。この場合、Ａ／Ｄ変換器６４から出力された紫外線量のデータは参考データとして通信部７３に出力するか、送信しないようにする。すなわち、センサカバー３０の閉状態では、正規の観測データを出力しないようにしている。センサカバー３０の閉状態では、マイクロコンピュータ６２はモータドライバ７１にオフ信号（ファン付きモータ２２のオフを指令する信号）を出力し、ファン付きモータ２２の回転を止めている。
【００２８】
やがて太陽高度が高くなると、図５に示すように紫外線量が増加し、閾値以上となる。このとき弁別回路６６の出力はＨレベルとなる。マイクロコンピュータ６２は、判定回路６９の出力と弁別回路６６の出力とを調べ、双方からＨレベルの信号が出力されていることを確認すると、モータドライバ７０に対して開信号を与える。このとき、開閉モータ３３は開方向（センサカバー３０が開く方向）に回転し、図１の３０Ａの位置にあるセンサカバー３０を矢印Ｑ方向に回動させる。そして、リミットスイッチ４１ａから開位置の信号が得られると、開閉モータ３３を停止させる。このときのセンサカバーは３０Ｂの位置にある。
【００２９】
これ以降、マイクロコンピュータ６２は、Ａ／Ｄ変換器６４から出力される紫外線量のデータを正規の計測値として通信部７３を介して外部に出力する。これと並行してマイクロコンピュータ６２はファン付きモータ２２を回転させる。そうすれば図１に示すようにエアーダクト２４を通してファン付きモータ２２によってＰ１に示すように空気が吹き上げられ、Ｐ２に示すようにエアーダクト２４を通り、開口部２５を経てＰ３に示すように空気が流れる。なお、無風状態であっても、外気の沈降によって空気中の種々の粉塵が紫外線センサユニット１０の窓材１４を覆うことがある。しかし、フィルタユニット２３を通して清浄な空気を窓材１４に吹き付け、粉塵を吹き飛ばすことによって、窓材１４の外側表面をクリーニングすることができる。こうして窓材１４の透明度は維持され、紫外線量を正確に計測できる。
【００３０】
さて、大気温度は昼過ぎから２時ごろにかけて上昇する。このため、屋根や屋上に設置された紫外線センサユニット１０も加熱されるが、エアダクト２４から紫外線センサユニット１０のチャンバ１２の底面、側面、上面（窓材１４）の外面に空気流を吹き付け、あるいは空気流が接して流れているため、冷却作用により、過度な温度上昇は避けられる。
【００３１】
例えば日中であっても、雲が発生して日陰になると、図５の１０時頃のデータに示すように、紫外線量が一時的に減少する。このような日陰程度では気圧は変化せず、図４の判定回路６９はＨレベルの信号を出し続ける。しかし、寒冷前線の到来や雷の発生により、降雨の前兆状態になると、気圧センサ６１の出力が急に低下したり、紫外線センサ１１の出力が低下する。この場合、弁別回路６６の出力と判定回路６９の出力とが共にＬレベルとなる。このとき、マイクロコンピュータ６２は「晴れ後雨」と判断し、Ｉ／Ｆ回路７２を介してモータドライバ７０へ閉信号を出力する。この結果、開閉モータ３３が駆動し、センサカバー３０は閉位置に回動される。
【００３２】
このように観測対象時間帯に紫外線センサ１１の出力が低下するのは、天候の変化だけではなく、太陽位置によっても影響を受ける。図５に示す１２時以降の検出量の低下は、周囲の建物により紫外線センサユニット１０が日陰に入ったからである。このような場合、気圧センサ６１の出力はＨレベルのままなので、マイクロコンピュータ６２は、通信部７３を介して観測データを出し続けるものとする。
【００３３】
本実施の形態の紫外線センサ装置では、観測窓１５に到来する紫外線を検出する紫外線センサ１１、および紫外線センサ１１の周囲空間を密閉すると共に、紫外線センサ１１へ紫外線を透過させる窓材１４を設けた観測窓１５を持つチャンバ１２を有する紫外線センサユニット１０と、紫外線センサユニット１０を保持すると共に、空気流を発生する送風機である例えばファン付きモータ２２、ファン付きモータ２２から噴出される空気流を案内して窓材１４の外側表面に空気流を吹き付けるエアーダクト２４、および観測窓１５の上部に設けた開口部２５を有するセンサハウジング２０と、開口部２５および観測窓１５を遮蔽状態または開放状態にし、遮蔽状態にあるときに観測窓１５と対面する位置に、紫外線透過性を持つカバー窓材３１を設けたセンサカバー３０を具備する。これによって、紫外線センサユニット１０の窓材１４の外側表面の結露を防止し、塵挨の付着を防止する。また、降雨が予想されるときは、駆動回路部６０の開閉モータ３３の動作により、事前にセンサカバー３０を閉状態にすることができる。このため、正規の観測状態で上空から放射される紫外線の量を正確に測定できる。
【００３５】
また、紫外線センサ１１から出力される紫外線量をモニタし、その出力レベルと規定値とを比較、判定する弁別回路６６と、センサカバー３０を開または閉状態に制御するセンサカバー開閉回路（Ｉ／Ｆ回路７２）と、送風機例えばファン付きモータ２２のオンオフを制御する送風機駆動回路（Ｉ／Ｆ回路７２）と、紫外線センサ１１から出力される紫外線量のデータを送出すると共に、弁別回路６６により晴天でないと判断されたとき、センサカバー開閉回路（Ｉ／Ｆ回路７２）に対して閉信号を出力する制御部であるマイクロコンピュータ６２をさらに具備する。これによって、晴天でないと判断されたときは、駆動回路部６０のモータドライバ７０と開閉モータ３３の動作により、事前にセンサカバー３０を閉状態にすることができ、紫外線センサユニット１０の窓材１４の外側表面の結露を防止し、塵挨の付着を防止できる。
【００３６】
また、紫外線センサ１１から出力される紫外線量をモニタし、その出力レベルと規定値とを比較、判定する弁別回路６６と、紫外線センサユニット６６の周囲の気圧を検出する気圧センサ６１と、気圧センサ６１から出力される大気圧をモニタし、その出力レベルとその変化より降雨または降雪状態になるかを判定する判定回路６９と、センサカバー３０を開または閉状態に制御するセンサカバー開閉回路（Ｉ／Ｆ回路７２）と、送風機例えばファン付きモータ２２のオンオフを制御する送風機駆動回路（Ｉ／Ｆ回路７２）と、紫外線センサ１１から出力される紫外線量のデータを送出すると共に、弁別回路６６、判定回路６９の少なくとも一方により晴天でないと判断されたとき、センサカバー開閉回路（Ｉ／Ｆ回路７２）に対して閉信号を出力する制御部であるマイクロコンピュータ６２を具備する。これによって、降雨が予想されるときは、駆動回路部６０のモータドライバ７０と開閉モータ３３の動作により、事前にセンサカバー３０を閉状態にすることができ、紫外線センサユニット１０の窓材１４の外側表面の結露を防止し、塵挨の付着を防止できる。
【００３７】
また、制御部であるマイクロコンピュータ６２は、センサカバー開閉回路（Ｉ／Ｆ回路７２）に対して開信号を出力しているとき、紫外線センサ１１から出力される信号を計測値として送信し、センサカバー開閉回路（Ｉ／Ｆ回路７２）に対して閉信号を出力しているとき、紫外線センサ１１から出力される信号を参考値として処理する。これによって、センサカバー３０を開放しているときの紫外線センサ装置から出力される信号は、正規の状態での観測値とすることができる。
【００３８】
また、以上のような紫外線センサ装置は、通常、同一エリアであっても、多数の箇所に設置されるので、各地点の紫外線センサ装置から電話回線等を介して送出される観測データを総合的に処理すれば、紫外線量の増加に伴い、警報情報を的確に出力することができる。
【００３９】
以上本発明を実施の形態に基づいて具体的に説明したが、本発明は本実施の形態に限定されるものではなく、その要旨を逸脱しない範囲において種々変更可能であることは勿論である。例えば、本実施の形態では、紫外線センサ１１の出力および気圧センサ６１の出力に基づいてセンサカバー３０を開閉するようにしているが、降雨の少ない気象条件によってはセンサカバー３０を設けなくてもよい。また、これら紫外線センサ１１および気圧センサ６１のいずれかの出力のみからセンサカバー３０を開閉するようにしてもよく、あるいは外部から開閉信号を受信し、それに基づいてセンサカバー３０を開閉するようにしてもよい。
【００４０】
【発明の効果】
以上説明したように、本発明によれば、紫外線センサユニットの窓材の外側表面の結露と塵挨の付着を防止でき、また、降雨が予想されるときは、事前にセンサカバーを閉状態にすることができるので、正規の観測状態で上空から放射される紫外線の量を正確に測定できる。
【図面の簡単な説明】
【図１】本発明の実施の形態の紫外線センサ装置の機構部の構造を示す要部断面側面図である。
【図２】本実施の形態の紫外線センサ装置の全体側面図である。
【図３】本実施の形態の紫外線センサ装置の上面図である。
【図４】本実施の形態の紫外線センサ装置の駆動回路部の構成を示すブロック図である。
【図５】観測地点の周辺に建物が存在する場所であって、「晴れ時々曇り」の日に実際に観測した紫外線量の一日の具体的な変化を示すグラフである。
【符号の説明】
１０…紫外線センサユニット、１１…紫外線センサ、１２…チャンバ、１３…乾燥剤、１４…窓材、１５…観測窓、２０…センサハウジング、２１…外部ケース、２２…ファン付きモータ、２３…フィルタユニット、２４…エアーダクト、２５…開口部、２６…信号コネクタ、２７…ケーブル、３０…センサカバー、３０Ａ…センサカバー閉位置、３０Ｂ…センサカバー開位置、３１…カバー窓材、３２…カバー、３３…開閉モータ、３４…回転軸、４０…駆動ステー、４１ａ、４１ｂ…開閉リミットスイッチ、５０…傾斜台座、５１…駆動ユニットベース、５２…中継コネクタ、５３…固定クランプ、５４…屋根、６０…駆動回路部、６１…気圧センサ、６２…マイクロコンピュータ、６３…信号増幅回路、６４…Ａ／Ｄ変換器、６５…閾値設定回路、６６…弁別回路、６７…信号増幅回路、６８…Ａ／Ｄ変換器、６９…判定回路、７０、７１…モータドライバ、７２…Ｉ／Ｆ回路、７３…通信部、８１…紫外線信号ブロック、８２…天候信号ブロック、８３…開閉制御ブロック。
【図１】
0003583364.tif 000002
【図２】
0003583364.tif 000003
【図３】
0003583364.tif 000004
【図４】
0003583364.tif 000005
【図５】
0003583364.tif 000006